(57)【要約】【課題】防犯性能の向上を目的とする、二重の安全機構としてデッドボルト内に鎌状の別部材を、横枠幅の狭い錠前に設置することは構造上の問題で従来困難であった。そこで、内部機構をリンク構成にすることで、この問題を解決し、鎌状の部材を備えた安価で作動の確実な錠前を、提供する。【解決手段】動力源から動力をデッドボルトに伝えるリンク機構と、リンク機構の運動を整え、デッドボルトを案内するデッドガイドで、デッドボルト内の構造を簡略化し、鎌部材の設置するスペースを確保する。リンク機構の一部であるロッドとリンクばねにより、デッドボルトの異常操作に対応する。【選択図】  図１
2007070922.tif 000002
【特許請求の範囲】
【請求項１】
作動アーム、連結アームおよびリンクアームからなるリンク機構と、狭小なスペースでデッドボルトの出し入れを可能にするロッドによって、動力源の回転運動を、デッドボルトの直進運動に変換するとともに、デッドボルトの内面に挿設した鎌部材を回動させることを特長とする扉錠。
【請求項２】
請求項１に於いて施錠位置状態では、ロッドがデッドボルトの作動方向とほぼ平行になることで、ロッドの作用点の支点附近となり、デッドボルトを固定、押し込み防止を行うよう構成した請求項１記載の扉錠。
【請求項３】
リンク機構の一部品にリンクばねを配設することで、リンク機構がリンクばねの応力以上の力量を伝えなくなり、開錠状態のデッドボルトが、非常の力で強制的に開錠位置に固定されたとき、動力源の作動によって、機械構造に無理な力が働く事を防ぐことができる請求項１記載の扉錠。
【請求項４】
リンクばねの応力以上の大きな力でデッドボルトの施錠状態が堅持されても、それ以上の力量を動力源に与えることにより、作動アームが直接、リンクアームを押すことができるようにし、動力源の力量を直接、デッドボルトに伝えて開錠できるようにしたことを特徴とする請求項３記載の扉錠。
【発明の詳細な説明】
【技術分野】
【０００１】
この発明は、扉の開閉側の側面から出し入れされるデッドボルト形式の錠前において、普通は直線的なデッドボルトに加えて、鎌状の部材を追加しても、横枠幅の狭い扉にも適用できる様に、防犯性能を向上させた、デッドボルトと鎌部材の駆動構成に関する。  
【背景技術】
【０００２】
防犯性能の向上を目的に、二重の安全機構としてデッドボルト内に鎌状の別の部材を内設する事が望ましい。従来の錠前では、デッドボルトを駆動させる機構と、それに付随する構造、例えば施錠状態を維持するロッキング爪などに、大きなスペースが必要であった。そして現行錠前のメンテナンス等の理由で、デッドボルトとサムターンの位置関係などを変更する事は望ましくない。現状の構造のままでは、特に横枠幅が狭い錠前では、鎌部材及び駆動のための機構配置が困難であった。
【特許文献１】特開平１１−４４１３７
【発明の開示】
【発明が解決しようとする課題】
【０００３】
本発明では、デッドボルトの駆動機構をリンク構成として、構造を単純化し、鎌部材の設置を可能にする事を目的とする。
【課題を解決するための手段】
【０００４】
上記の課題を達成する為、動力源と係合し、リンク機構に回動可能に接続するサムターン連結環と、リンク機構を形成する連結アーム、リンクアームＡ、リンクアームＢ、デッドボルトが異常操作されたときに有効に作用するリンクばね、作動アームと、小さなスペースでデッドボルトの出し入れを可能にするロッドと、デッドボルトと、その内面に挿設され、デッドボルトの移動に伴って駆動する鎌部材と、デッドボルト付近での動作を整え、案内するデッドガイドによって構成される。
【発明の効果】
【０００５】
デッドボルトを駆動させる動力を、その発生源からデッドボルトに伝える構造を、リンク機構にする事で、省スペース及び確実な作動が実現し、デッドボルト内に鎌部材を内設する事を容易にしている。リンク機構はギヤを使わない為、動作の安定化、静音化、コストの低減化、組立の簡素化を実現する。
【０００６】
デッドボルトを駆動するロッドは、デッドボルトを駆動するとともに、施錠位置では、デッドボルトとほぼ平行となり、施錠状態でデッドボルトの押し込み等の異常操作に対して、デッドボルトが作動しないようにする働きを、このロッドの１部品だけで実現でき、しかも錠前外部からの犯罪的な破壊にも保安性が高い。
【発明を実施するための最良の形態】
【０００７】
本発明の実施の形態を図１、図2により説明する。
【実施例】
【０００８】
シャーシ１１には、リンク軸２０、連結環受け１３、デッドガイド２５が固定されている。デッドガイド２５には、右部に図の上下方向に長い穴であるロッド溝２５１があり、さらに中央下部には図の左右方向に長い穴であるデッド溝２５２がある。そして図の左下部には２つにわかれた壁面、鎌ガイド２５３が設けられている。
【０００９】
シャーシ１１の図の下部にはコ字形の断面を持つデッドボルト３０が配設されている。デッドボルト３０は、その中央下部に貫設されたガイド軸２７によって、デッドガイド２５に摺動可能に係合されることで、フロント板１２に垂直な前後方向に案内される。
【００１０】
また、デッドボルトの内側には、鎌部材２９とロッド２７の一端部が、それぞれデッドボルト３０に支承されているガイド軸２８によって、回動可能に軸支される。ロッド２７の他端部は、ロッド軸２６に回動可能に軸支されている。
【００１１】
ロッド軸２６は、デッドガイド２５のロッド溝２５１に摺動可能に係合されることで、図の上下方向に案内される。
【００１２】
ロッド軸２６には連結アーム２３の一端部が揺動可能に軸支されている。連結アーム２３はその他端部をリンクアームA１７の一端部に連結ピン２４によって、回動可能に軸支される。連結ピン２４は、連結アーム２３とリンクアームＡ１７の動きに伴って自由に移動できる。
【００１３】
このリンクアームA１７は、その中央部で、リンク軸２０によって回動可能に軸支され、同様にリンクアームＢ１８もその一端部がリンク軸２０によって回動可能に軸支される。リンクアームB１８の他端部とリンクアームA１７の他端部は、リンクばね１９の両端部と、それぞれリンクピンＢ２２、リンクピンＡ２１によって回動自在に軸支される。リンクピンＢ２２とリンクピンＡ２１は、リンクアームB１８とリンクアームA１７の動きに伴って、自由に移動できる。
【００１４】
リンクアームB１８とリンクばね１９の支軸であるリンクピンＢ２２には、作動アーム１６も、その中央部付近で、回動可能に軸支される。この作動アーム１６はその下端部を連結環軸１５に軸支され、連結環軸１５をサムターン連結環１４が回動可能に支持している。
【００１５】
サムターン連結環１４は、連結環受け１３に回動可能に嵌合され、連結環受け１３の上下端部にある突起によって、連結環１４の回動角度を９０°に制限する。
【００１６】
次に動作について説明する。施錠の状態（図１）で、図示しないサムターンを反時計方向に90°回すと、それに係合したサムターン連結環１４が同じく回転し、それに連動して作動アーム１６が、リンクアームB１８を介してリンク軸２０を起点に、下方向に平行移動する。
【００１７】
このときリンクアームB１８はリンク軸２０を中心に左回りで90°回転し、リンクばね１９の張力と、作動アーム１６の右端部がリンクピンＡ２１を図の下方向に直接押すことで、リンクアームA１７がリンク軸２０を中心に時計方向で回転する。
【００１８】
リンクアームＡ１７と連結された連結アーム２３が、その他端部に軸支するロッド軸２６を牽引し、ロッド軸２６はデッドガイド２５のロッド溝２５１に案内されて、上方向に摺動する。
【００１９】
ロッド２７が、ロッド軸２６の動きにともなって、デッドボルト３０を牽引し、デッドボルト３０はデッドガイド２５のデッド溝２５２に案内されて、右方向へ移動し、シャーシ１１内部に収納され、開錠が完了する。
【００２０】
このとき、鎌部材２９は、デッドボルト３０に伴って動きながらその左下端部が、デッドガイド２５の鎌ガイド２５３に接触し案内され、ガイド軸２８を中心に時計回りに回動し、デッドボルト３０内に収納される。
【００２１】
開錠の状態（図２）では、上述の逆になる。図示しないサムターンを時計回りで90°回すと、作動アーム１６はその回動に伴って図の上方向に移動し、同時にリンクを構成する、リンクアームA１７、リンクアームB１８、リンクばね１９、連結アーム２０の連動によって、ロッド軸２６が、デッド溝２５１に案内.されて、下方向へ移動する。このとき、リンクアームA１７とリンクアームB１８の連動は、上述の施錠状態とは異なり、リンクばね１９の張力のみによって行われる。
【００２２】
同時にロッド軸２６に伴って、ロッド２７がデッドボルト３０を押し出し、図示しないストライク板のデッドボルト投入孔に投入され、施錠が完了する。
【００２３】
このとき、鎌部材２９は、デッドボルト３０に伴って動きながら、その一端部が、鎌ガイド２５３に接触、案内される事で、ガイド軸２８を支点に反時計回りで回動し、施錠位置に至る。
【００２４】
開錠状態で、デッドボルトが異常操作等で作動不能になった場合、サムターンを回転させると、リンク機構を構成するリンクばね１９がチャージされた状態で保持され、リンクアームA１７とリンクアームB１８が連動しなくなり、デッドボルトが開錠状態に固定されていても、機構に無理な力が働くのを防いでいる。このとき、デッドボルトが作動可能の状態になると、チャージされたリンクばね１９の張力で連動が始まり、施錠状態（図１）になる。
【図面の簡単な説明】
【００２５】
【図１】デッドボルトが施錠状態に位置したときの、錠の平面構造図。
【図２】デッドボルトが開錠状態に位置したときの、錠の平面構造図。
【符号の説明】
【００２６】
１１    シャーシ                                                                    
１２    フロント板
１３    連結環受け
１４    サムターン連結環
１５    連結環軸
１６    作動アーム 
１７    リンクアームＡ    
１８    リンクアームＢ
１９    リンクばね
２０    リンク軸
２１    リンクピンＡ
２２    リンクピンＢ 
２３    連結アーム 
２４    連結ピン
２５    デッドガイド
２５１    ロッド溝
２５２    デッド溝
２５３    鎌ガイド
２６    ロッド軸
２７    ロッド
２８    ガイド軸
２９    鎌部材
３０    デッドボルト
【図１】
2007070922.tif 000003
【図２】
2007070922.tif 000004